(57)【要約】【課題】本発明の目的は、乗りかごの緊急停止時において、乗りかご内に医療用酸素を供給することが可能で、長時間の閉じ込めや多人数の閉じ込めにも対応できるエレベータシステムを提供することである。【解決手段】エレベータシステム１０は、乗りかご１２以外の場所に設置される酸素供給設備３０等の酸素供給装置と、酸素供給設備３０と乗りかご１２とを接続して設けられ、乗りかご１２の昇降に対応可能な長さを有する酸素供給ライン１８と、を備え、酸素供給ライン１８は制御ケーブル１６と結束されている。また、酸素供給ライン１８から分岐した複数の分岐ラインを備える。【選択図】図１
2011195235.tif 000002
【特許請求の範囲】
【請求項１】
昇降路内を昇降する乗りかごを備えたエレベータシステムにおいて、
乗りかご以外の場所に設置された酸素供給装置と、
酸素供給装置と乗りかごとを接続して設けられ、乗りかごの昇降に対応可能な長さを有する酸素供給ラインと、
を備えることを特徴とするエレベータシステム。
【請求項２】
請求項１に記載のエレベータシステムにおいて、
乗りかご以外の場所に設置され、乗りかごの昇降運転を制御する制御装置と、
制御装置と乗りかごとを接続して設けられ、乗りかごの昇降に対応可能な長さを有する制御ケーブルと、
を備え、
酸素供給ラインは、制御ケーブルに沿って設けられ、制御ケーブルと結束されていることを特徴とするエレベータシステム。
【請求項３】
請求項１又は２に記載のエレベータシステムにおいて、
酸素供給ラインには、乗りかごの緊急停止と連動して開放されるライン開閉弁が設置されることを特徴とするエレベータシステム。
【請求項４】
請求項１〜３のいずれか１に記載のエレベータシステムにおいて、
酸素供給ラインには、乗りかご側端部に、携行用酸素ボンベのチューブに接続可能な接続部が取り付けられていることを特徴とするエレベータシステム。
【発明の詳細な説明】
【技術分野】
【０００１】
本発明は、エレベータシステムに関し、特に、携行用酸素ボンベを所持した患者が多く利用する病院等の医療施設に好適なエレベータシステムに関する。
【背景技術】
【０００２】
一般的なエレベータでは、乗りかごの走行中に地震や機器の故障等が発生した場合、乗りかごが乗場間で緊急停止して、利用者が乗りかご内に閉じ込められることが発生し得る。そして、復旧に時間がかかり長時間にわたって利用者が乗りかご内に閉じ込められるような状況となれば、気分が悪くなる等、利用者の健康状態の悪化が懸念される。例えば、病院等の医療施設に設置されるエレベータは、医療用酸素（以下、単に酸素ともいう）が充填された携行用酸素ボンベを所持した患者も多く利用するため、長時間の閉じ込めによりボンベの酸素がなくなるおそれがある。
【０００３】
このような状況に鑑みて、酸素ボンベを搭載したエレベータの乗りかごが開発されている。例えば、特許文献１には、乗りかご上部に酸素ボンベを設置し、天井等に収納庫を設け、かつ、収納庫に酸素ボンベからの酸素供給パイプに接続される酸素吸入器を備え、必要時に酸素吸入器を乗りかご内方に引き出して使用可能であるエレベータの乗りかごが開示されている。
【先行技術文献】
【特許文献】
【０００４】
【特許文献１】特開平１０‐１７２４４号公報
【発明の概要】
【発明が解決しようとする課題】
【０００５】
特許文献１に開示された乗りかごによれば、乗りかご上部に設置した酸素ボンベによって、乗りかご内に閉じ込められた利用者に対して酸素を供給することができる。しかしながら、乗りかごには、スペースや重量の観点から大きな容量の酸素ボンベを搭載することが困難であり、長時間の閉じ込めや多人数の閉じ込めを考慮すると未だ改良の余地がある。また、乗りかご上部に酸素ボンベを設置すると、酸素ボンベの定期的な交換等のメンテナンス作業が必要となり管理者の負担が増加することにもなる。
【０００６】
本発明の目的は、乗りかごの緊急停止時において、乗りかご内に医療用酸素を供給することが可能で、長時間の閉じ込めや多人数の閉じ込めにも対応できるエレベータシステムを提供することである。
【課題を解決するための手段】
【０００７】
本発明に係るエレベータシステムは、昇降路内を昇降する乗りかごを備えたエレベータシステムにおいて、乗りかご以外の場所に設置された酸素供給装置と、酸素供給装置と乗りかごとを接続して設けられ、乗りかごの昇降に対応可能な長さを有する酸素供給ラインと、を備えることを特徴とする。なお、多人数の閉じ込めが想定される場合には、酸素供給ラインを複数備える、或いは１つの酸素供給ラインから分岐した複数の分岐ラインを備えることが好ましい。
【０００８】
特に、本発明に係るエレベータシステムは、携行用酸素ボンベを所持した患者が多く利用する病院等の医療施設に好適である。医療施設用のエレベータシステムにおいては、酸素供給装置として、医療施設内に整備されている既設の酸素供給設備を利用することができ、例えば、酸素供給ラインを酸素供給設備の既存配管に接続することができる。また、酸素供給ラインには、乗りかごの緊急停止と連動して開放されるライン開閉弁が設置されることが好ましい。
【０００９】
上記構成によれば、酸素供給ラインを介して、医療施設の酸素供給設備、或いは上部機械室や昇降路の周辺等に別途設けた酸素ボンベなど、乗りかご以外の場所に設置された酸素供給装置から乗りかご内に酸素を供給することができる。即ち、医療施設の酸素供給設備等を利用することによって、乗りかごに搭載可能な小型の酸素ボンベよりもはるかに大容量の酸素を供給することが可能になる。したがって、本構成によれば、長時間の閉じ込めや多人数の閉じ込めが発生した場合にも、酸素が枯渇する心配がなく、十分に対応することが可能である。なお、酸素供給ラインは、乗りかごの昇降に対応可能な長さを有するから、乗りかごの昇降により切断されず、乗りかごの昇降に支障をきたすことがない。
【００１０】
また、本発明に係るエレベータシステムにおいて、乗りかご以外の場所に設置され、乗りかごの昇降運転を制御する制御装置と、制御装置と乗りかごとを接続して設けられ、乗りかごの昇降に対応可能な長さを有する制御ケーブルと、を備え、酸素供給ラインは、制御ケーブルに沿って設けられ、制御ケーブルと結束されていることが好ましい。
【００１１】
制御ケーブルは、例えば、上部機械室又はピットに設置された制御装置と乗りかごの下部とを接続する。そして、制御ケーブルは、昇降路の中間位置付近等で昇降路の壁面に固定されて、乗りかごが昇降路の最上部又は最下部に移動した際にも切断されない長さに設定されている。また、酸素供給ラインは、制御ケーブルが固定される昇降路の中間位置付近から昇降路内に引き込まれて、制御ケーブルと結束されることが好ましい。
【００１２】
上記構成によれば、酸素供給ラインと制御ケーブルとが結束されたことで従来通り１本のケーブルとみなせるから、乗りかごの昇降により酸素供給ラインと制御ケーブルとが絡まる等の問題が発生することはない。
【００１３】
また、本発明に係るエレベータシステムにおいて、酸素供給ラインには、乗りかご側端部に、携行用酸素ボンベのチューブに接続可能な接続部が取り付けられていることが好ましい。
【００１４】
上記構成によれば、利用者が所持している携行用酸素ボンベのチューブを、ボンベから酸素供給ラインに付け替えるという簡便な操作によって、大容量の酸素供給設備から酸素供給を受けることができる。
【発明の効果】
【００１５】
本発明に係るエレベータシステムによれば、乗りかごの緊急停止時において、乗りかご内の乗客に酸素を供給することが可能で、長時間の閉じ込めや多人数の閉じ込めにも対応することができる。
【図面の簡単な説明】
【００１６】
【図１】本発明の実施形態である医療施設用エレベータシステムの構成を示す模式図である。
【図２】本発明の実施形態である医療施設用エレベータシステムの乗りかご内を示す図である。
【図３】酸素供給ラインを使用する様子を示す図である。
【発明を実施するための形態】
【００１７】
図面を用いて、本発明に係るエレベータシステムの実施形態につき、以下詳細に説明する。なお、以下では、医療施設用エレベータシステム１０を例に挙げて説明するが、本発明は、他の公共施設や商業施設などに設置されるエレベータシステムについても適用することができる。
【００１８】
まず初めに、図１を用いて、医療施設用エレベータシステム１０（以下、エレベータシステム１０とする）の全体構成を説明する。
【００１９】
図１に示すように、エレベータシステム１０は、一般的なエレベータシステムと同様に、昇降路１１と、昇降路１１内を昇降する乗りかご１２と、乗りかご１２を昇降させる巻き上げ機１３と、制御装置１４と、を備える。エレベータシステム１０は、乗りかご１２が各階床に設置された図示しない乗場の間を昇降する昇降システムであって、詳しくは後述するように、医療用酸素を乗りかご１２内に供給するための構成を備えていることを特徴とする。
【００２０】
昇降路１１は、複数階床を有する医療施設内に鉛直方向に貫通して設けられた乗りかご１２の通路である。昇降路１１の最下部には、図示しないピットが設けられ、昇降路の上部には、巻上げ機１３や制御装置１４が設置される上部機械室が設けられる。なお、例えば、低層用エレベータシステムでは、巻き上げ機や制御装置をピットに設けることもできるが、本発明は、そのような形態にも適用することができる。
【００２１】
乗りかご１２は、利用者が乗り込むことのできる室内スペース（後述の図２参照）を有し、巻上げ機１３を駆動することにより昇降路１１内を昇降するものである。巻上げ機１３のシーブには、一端が乗りかご１２の上部、他端が図示しないカウンターウエイトに連結された主ロープ１５が巻きかけられており、巻上げ機１３を駆動することにより主ロープ１５が巻上げられ又は送り出されて、乗りかご１２が昇降路１１内を昇降することになる。
【００２２】
制御装置１４は、システム全体の動作を統一的に制御する装置であって、例えば、図示しない乗場釦やかご内操作盤２４（図２）の操作に基づき巻上げ機１３に指令を与えて乗りかご１２の自動昇降運転を制御する等の機能を有する。さらに、制御装置１４は、詳しくは後述するように、乗りかご１２内への酸素供給を制御する機能も有する。なお、制御装置１４は、ＣＰＵ、入力部、及び上記各機能の実行に使用される制御パラメータや制御プログラム等を記憶する記録部などを備える装置であって、コンピュータによって構成することができる。
【００２３】
制御ケーブル１６は、制御装置１４と乗りかご１２とを接続する電気ケーブルである。この制御ケーブル１６によって、かごドア開閉等の制御装置１４の制御信号が乗りかご１２に伝達されると共に、かご内操作盤２４（図２）等の操作信号が制御装置１４に伝達される。
【００２４】
なお、制御ケーブル１６は、乗りかご１２の昇降運転に支障がないように、昇降路１１の中間位置付近で昇降路１１の壁面に固定され、乗りかご１２が昇降路１１の最上部又は最下部に移動した際にもある程度の撓みを有する長さに設定されている。図１に模式的に示す固定部１７としては、例えば、Ｕ字金具など種々の形態のものを適用することができる。
【００２５】
エレベータシステム１０は、上記のように、大容量の医療用酸素を乗りかご１２内に供給できる機能を備える。この機能を実現するために、エレベータシステム１０は、乗りかご１２以外の場所に設置された酸素供給装置と、酸素供給装置に接続され、乗りかご１２内に引き込まれた酸素供給ライン１８と、を備える。なお、医療用酸素は、いたずらによる使用等を防止するために、乗りかご１２が緊急停止した場合に限定して供給可能とすることが好ましい。
【００２６】
酸素供給装置としては、例えば、上部機械室などの昇降路１１の周辺に設置された酸素ボンベを使用することができる。即ち、酸素供給装置は、乗りかご１２以外の場所に設置されているから、乗りかご１２に設置される酸素ボンベのように容量が大きく制限されず、大容量の酸素を供給することが可能になる。なお、病院等の医療施設には、酸素供給設備３０が敷設されていることが多く、酸素供給装置として、既存の酸素供給設備３０を使用することもできる。
【００２７】
図１では、酸素供給装置として、酸素供給設備３０を使用した構成を示している。酸素供給設備３０は、例えば、ボンベ室３１に設置された大型酸素ボンベ３２と、大型酸素ボンベ３２に接続された施設内酸素供給配管３３と、を備えている。施設内酸素供給配管３３は、大型酸素ボンベ３２から病室等に酸素を供給するための配管であって、通常、各階床の病室や診察室、手術室内まで敷設されている。例えば、酸素供給ライン１８は、施設内酸素供給配管３３の一部に接続することができる。
【００２８】
酸素供給ライン１８（図１に太線で示す）は、施設内酸素供給配管３３に接続され、乗りかご１２内に引き込まれる配管であって、この配管を通って大型酸素ボンベ３２から乗りかご１２内に酸素を供給することができる。酸素供給ライン１８としては、酸素を流通させることができ、図１に示すように湾曲可能なものであれば、種々の部材を使用することができる。また、酸素供給ライン１８には、制御装置１４により開閉制御される主開閉弁１９が設置され、乗りかご１２の緊急停止と連動して主開閉弁１９を開放することで、緊急停止時の限定供給が可能になる。
【００２９】
また、酸素供給ライン１８は乗りかご１２の近傍で複数に分岐して、分岐したラインのそれぞれに個別開閉弁２０及び接続部２１が設置される。図１では、４本に分岐した酸素供給ライン１８を示しており、エレベータシステム１０では、最大４名の患者が同時に酸素供給ライン１８を使用することができる。酸素供給ライン１８の分岐数としては、任意に設定することができ、また、複数の酸素供給ライン１８を用いることもできる。なお、接続部２１の形態としては、後述のチューブジョイント４２或いはチューブ４１に接続可能なものであれば特に限定されるものではない。
【００３０】
さらに、酸素供給ライン１８は、例えば、制御ケーブル１６の固定部１７の近傍から昇降路１１内に引き込まれて、制御ケーブル１６と結束されることが好ましい。なお、酸素供給ライン１８は、乗りかご１２の昇降に対応可能な長さを有する。具体的に、昇降路１１内の酸素供給ライン１８の長さは、固定部１７から乗りかご１２までの制御ケーブル１６の長さと同等である。このような構成によれば、酸素供給ライン１８が乗りかご１２の昇降により切断されることなく、酸素供給ライン１８と制御ケーブル１６とが絡まる等の問題が発生することはない。
【００３１】
次に、図２を用いて、乗りかご１２の内部構造を説明する。
【００３２】
図２に示すように、乗りかご１２の内部には、かごドア２３、かご内操作盤２４、車椅子用かご内操作盤２５、及び手摺２６等の一般的な設備が壁面２２に設置されている。一般的に、かご内操作盤２４には、かごドア開閉釦や行先階釦、さらに、インターホン釦２８及びインターホン２９が設置される（車椅子用かご内操作盤２５についても同様）。インターホン２９は、例えば、乗りかご１２が緊急停止した場合などに管理センターなど外部との通話を行うための装置であり、インターホン釦２８を押すことで管理センターを呼び出すことができる。
【００３３】
また、乗りかご１２の壁面２２には、酸素供給設備３０に繋がった酸素供給ライン１８が設置されている。具体的には、壁面２２から酸素供給ライン１８の先端に取り付けられた４つの接続部２１が突出している。そして、接続部２１は、収納ボックス２７に収納されている。なお、壁面２２には、酸素供給ライン１８の使用方法を説明する表示が設けられていることが好ましい。
【００３４】
次に、図３を用いて、酸素供給ライン１８の使用方法について説明する。
【００３５】
図３は、携行用酸素ボンベ４０を所持する患者５０が乗りかご１２内に閉じ込められ、携行用酸素ボンベ４０の酸素がなくなった場合を想定した図である。一般的に、携行用酸素ボンベ４０には、ボンベ内の酸素を患者５０に供給するためのチューブ４１が取り付けられ、チューブ４１の先端には、携行用酸素ボンベ４０と接続するためのチューブジョイント４２が取り付けられている。
【００３６】
図３に示すように、患者５０は、収納ボックス２７から酸素供給ライン１８の接続部２１を引き出すことができる。そして、チューブジョイント４２を酸素がなくなった携行用酸素ボンベ４０から取り外して、酸素供給ライン１８の接続部２１に接続することで、酸素供給設備３０から酸素供給を受けることができる。具体的には、乗りかご１２の緊急停止と連動して、酸素供給ライン１８の主開閉弁１９が開放されると共に、チューブジョイント４２を接続部２１することで個別開閉弁２０が開放される。そして、開放された酸素供給ライン１８及びチューブ４１を介して、酸素供給設備３０から酸素が患者５０に供給される。
【００３７】
主開閉弁１９としては、電子制御弁を用いることができ、その開閉操作は制御装置１４の制御により実行することができる。例えば、制御装置１４は、乗りかご１２の緊急停止信号を受信したしたときに、主開閉弁１９に開放指令信号を送信する。一方、個別開閉弁２０としては、主開閉弁１９と同様の電子制御弁を用いることもできるが、患者５０が操作差可能な手動式弁を用いることもできる。なお、少なくとも主開閉弁１９及び個別開閉弁２０のいずれか一方には、流量調整機構が設けられることが好ましい。
【００３８】
また、乗りかご１２の緊急停止時に、インターホン２９から酸素供給ライン１８の使用方法をアナウンスすることもできる。当該アナウンスは、患者５０からの要請に関わらず、緊急停止と連動して自動的に行う設定とすることもできる。
【００３９】
以上のように、エレベータシステム１０によれば、乗りかご１２以外の場所に設置される酸素供給設備３０等の酸素供給装置と、酸素供給設備３０と乗りかご１２とを接続して設けられ、乗りかご１２の昇降に対応可能な長さを有する酸素供給ライン１８と、を備え、酸素供給ライン１８は制御ケーブル１６と結束されているので、乗りかご１２の昇降運転に支障なく大容量の酸素を乗りかご１２内の利用者に供給することが可能となり、長時間の閉じ込めにも十分対応することができる。また、酸素供給ライン１８を複数備える、或いは１つの酸素供給ライン１８から分岐した複数の分岐ラインを備えることで、多人数の閉じ込めにも十分対応することができる。
【００４０】
なお、酸素供給装置としては、酸素供給設備３０等の常設される設備だけでなく、緊急時にのみ酸素供給ラインに取り付けられるものであってもよい。
【００４１】
また、乗りかご内に設置される監視カメラの映像に基づいて、酸素供給制御を実行することもできる。例えば、携行用酸素ボンベを所持する患者が確認された場合に限定して、主開閉弁の開放や使用方法のアナウンスを実行することができる。或いは、乗りかご内や乗場に設置される監視カメラの映像に基づいて、例えば、酸素供給ライン（分岐ライン）の設置数よりも多くの携行用酸素ボンベを所持した患者が確認された場合に、利用禁止のアナウンスを行うことができる。
【００４２】
また、携行用酸素ボンベを所持しない利用者でも酸素供給ラインを使用できるように、酸素供給ラインの乗りかご側端部に酸素マスクを取り付けることもできる。或いは、接続部２１や酸素マスクを取り付けることなく、場合によっては、酸素供給ラインに携行用酸素ボンベのチューブを直接嵌め込んで使用することもできる。
【符号の説明】
【００４３】
１０  医療施設用エレベータシステム、１１  昇降路、１２  乗りかご、１３  巻上げ機、１４  制御装置、１５  主ロープ、１６  制御ケーブル、１７  固定部、１８  酸素供給ライン、１９  主開閉弁、２０  個別開閉弁、２１  接続部、２２  壁面、２３  かごドア、２４  かご内操作盤、２５  車椅子用かご内操作盤、２６  手摺、２７  収納ボックス、２８  インターホン釦、２９  インターホン、３０  酸素供給設備、３１  ボンベ保管室、３２  大型酸素ボンベ、３３  施設内酸素供給配管、４０  携行用酸素ボンベ、４１  チューブ、４２  ジョイント、５０  患者。
【図１】
2011195235.tif 000003
【図２】
2011195235.tif 000004
【図３】
2011195235.tif 000005